(57)【要約】【課題】快適性を維持できる履物を提供すること。【解決手段】スリッパ１は、使用者の足に装着され、  足が載置されるソール１０と、ソール１０の上面側に配置され、足の甲を覆う頭部２０と、を備え、頭部２０は、通気性を有する素材で形成された外部材２１と、外部材２１とソール１０との間に配置され、柔軟性を有する素材で形成され、甲から足先まで覆う内部材２２と、を有し、内部材２２と外部材２１との間に足を挿入可能であるとともに、ソール１０と内部材２２との間にも足を挿入可能である。【選択図】図１
0003196265.tif 000002
【実用新案登録請求の範囲】
【請求項１】
使用者の足に装着される履物であって、
足が載置されるソールと、
前記ソールの上面側に配置され、足の甲を覆う頭部と、を備え、
前記頭部は、
通気性を有する素材で形成された外部材と、
前記外部材と前記ソールとの間に配置され、柔軟性を有する素材で形成され、前記甲から足先まで覆う内部材と、を有し、
前記内部材と前記外部材との間に足を挿入可能であるとともに、前記ソールと前記内部材との間にも足を挿入可能である履物。
【請求項２】
前記外部材は、少なくとも中央部分が網形状に形成され、足先側に通気のための開口部を有する請求項１に記載の履物。
【考案の詳細な説明】
【技術分野】
【０００１】
本考案は、履物に関し、特に、使用者の足に装着される履物に関する。
【背景技術】
【０００２】
従来、足が冷えるのを防止するために、例えば、スリッパやサンダル等の履物を装着する場合がある。
このような足が冷えるのを防止するための履物として、金属の箔，又は蒸着物をスリッパの部材内に封入して体温を反射し保温するスリッパが提案されている（特許文献１参照）。
【先行技術文献】
【特許文献】
【０００３】
【特許文献１】特開平５−４９５０１号公報
【考案の概要】
【考案が解決しようとする課題】
【０００４】
ところで、通常、履物は、例えば、数時間に亘って長時間装着される。このような場合、特許文献１のスリッパのような保温性を有する履物を装着していると、次第に足が暑くなる。一方、例えば、夏場には、通気性を有する履物を装着する場合があるが、冷房等により足先が冷える場合がある。
このように、従来の履物は、保温性や通気性を向上させていても長時間装着していると、快適性が損なわれていた。
【０００５】
本考案は、快適性を維持できる履物を提供することを目的とする。
【課題を解決するための手段】
【０００６】
（１）  使用者の足に装着される履物であって、
足が載置されるソールと、
前記ソールの上面側に配置され、足の甲を覆う頭部と、を備え、
前記頭部は、
通気性を有する素材で形成された外部材と、
前記外部材と前記ソールとの間に配置され、柔軟性を有する素材で形成され、前記甲から足先まで覆う内部材と、を有し、
前記内部材と前記外部材との間に足を挿入可能であるとともに、前記ソールと前記内部材との間にも足を挿入可能である履物。
【０００７】
（１）の構成によれば、履物は、使用者の足に装着され、ソールと、頭部と、を備える。
ソールは、足が載置される。
頭部は、ソールの上面側に配置され、足の甲を覆い、外部材と、内部材と、を有する。
外部材は、通気性を有する素材で形成されている。
内部材は、外部材とソールとの間に配置され、柔軟性を有する素材で形成され、甲から足先まで覆う。
そして、内部材と外部材との間に足を挿入可能であるとともに、ソールと内部材との間にも足を挿入可能である。
【０００８】
これにより、使用者は、例えば、暑ければ、内部材を踏みつけるように、履物を装着する。即ち、通気性を有する素材で形成された外部材と、内部材と、の間に足を挿入することで、履物を装着した状態で、足を履物外の空気にさらすことができる。
そして、例えば、空調等により足先が冷えてきた場合には、今度は、甲から足先まで覆う内部材とソールとの間に足を挿入することで、足先を保温できる。
【０００９】
一方、使用者は、例えば、寒ければ、甲から足先まで覆う内部材の下に足を挿入することで、足先を保温できる。
そして、例えば、内部材内部が蒸れてきたら、内部材内部から足を引き出し、内部材を踏みつけ、通気性を有する素材で形成された外部材と、内部材と、の間に足を挿入することで、履物を装着した状態で、足を履物外の空気にさらすことができる。
したがって、快適性を維持できる履物を提供できる。
【００１０】
（２）  前記外部材は、少なくとも中央部分が網形状に形成され、足先側に通気のための開口部を有する（１）に記載の履物。
【００１１】
（２）の構成によれば、外部材は、少なくとも中央部分が網形状に形成され、足先側に通気のための開口部を有するので、外部材と、内部材と、の間に挿入された足をより確実に履物外の空気にさらすことができる。
したがって、快適性を向上できる履物を提供できる。
【考案の効果】
【００１２】
本考案によれば、快適性を維持できる履物を提供できる。
【図面の簡単な説明】
【００１３】
【図１】本考案の実施形態に係るスリッパ１の斜視図である。
【図２】前記実施形態に係るスリッパ１の使用方法を説明する図である。
【図３】前記実施形態に係るスリッパ１の使用方法を説明する図である。
【考案を実施するための形態】
【００１４】
本考案の実施形態に係るスリッパ１の構成を図面に基づいて説明する。
以下の実施形態の説明において、同一の構成には、同一の符号を付し、その説明を省略又は簡略化する。
図１は、本考案の実施形態に係るスリッパ１の斜視図である。
本実施形態の説明では、履物の一例としてスリッパを例に説明するが、本発明は、スリッパに限らず、サンダル等の足の甲を覆う部分を有する履物に適用できる。
スリッパ１は、使用者の足に装着され、ソール１０と、頭部２０と、を備える。
【００１５】
ソール１０は、使用者の足が載置される。ソール１０は、スリッパやサンダル等の履物のソールにおいて一般的に使用される任意の素材で、任意の形状に形成されている。
【００１６】
頭部２０は、ソール１０の上面側に配置され、足の甲を覆い、外部材２１と、内部材２２と、を有する。
【００１７】
外部材２１は、通気性を有する素材で形成されている。
外部材２１は、少なくとも中央部分が網形状に形成され、足先側に通気のための開口部を有する。
詳細には、外部材２１は、左右端がソール１０に固定され、中央部が上方に膨出する帯形状に形成され、前後端がソール１０と接続されず、前方（足先側）に通気のため前方開口部２１１が形成され、後方に使用者の足が挿入される後方開口部２１２が形成されている。
【００１８】
なお、本実施形態において、外部材２１は、通気性を有する素材として、中央部分を網形状に形成しているが、これに限らず、全体を網形状としてもよいし、網形状に限らず、通気性を有する布（例えば、麻等）で形成してもよい。
また、外部材２１は、帯形状に限らず、通気性を確保できれば、使用者の甲から足先まで覆う形状で形成してもよい。
【００１９】
内部材２２は、上下方向において、外部材２１とソール１０との間に配置され、柔軟性を有する素材で形成され、甲から足先まで覆う形状で形成され、後端に足を挿入する内部材開口部２２１が形成されている。
内部材２２は、下面（内側の面）には、例えば、保温性を有する素材（例えば、アルミ蒸着シート）や起毛生地が設けられ、上面（外側の面）には、例えば、熱発散性を有する素材（例えば、公知の吸湿速乾機能を有する素材や、冷却剤が充填されたシート）が設けられている。
なお、内部材２２は、甲から足先まで覆う形状で形成されていれば、これらの素材に限らず、任意の素材で形成することができる。
【００２０】
スリッパ１は、内部材２２と外部材２１との間に足を挿入可能であるとともに、ソール１０と内部材２２との間にも足を挿入可能である。
なお、外部材２１と内部材２２との間には、公知の発熱材等を配置してもよい。これにより、発熱材等は、使用者がソール１０と内部材２２との間にも足を挿入した場合、外部材２１と内部材２２とに挟持され固定されるとともに、内部材２２を介して使用者の足に熱を伝達するので、使用者が足に火傷を負うのを防止できる。
【００２１】
次に、スリッパ１の使用方法について説明する。
図２及び図３は、前記実施形態に係るスリッパ１の使用方法を説明する図である。
使用者は、例えば、暑ければ、図２に示すように、内部材２２を踏みつけるように、スリッパ１を装着する。即ち、通気性を有する素材で形成された外部材２１と、内部材２２と、の間に足を挿入することで、スリッパ１を装着した状態で、足をスリッパ１外の空気にさらすことができる。
そして、例えば、空調等により足先が冷えてきた場合には、今度は、図３に示すように、甲から足先まで覆う内部材２２とソール１０との間に足を挿入することで、足先を保温できる。
【００２２】
一方、使用者は、例えば、寒ければ、図３に示すように、甲から足先まで覆う内部材２２とソール１０との間に足を挿入することで、足先を保温できる。
そして、例えば、内部材２２内部が蒸れてきたら、内部材２２内部から足を引き出し、図２に示すように、内部材２２を踏みつけ、通気性を有する素材で形成された外部材２１と、内部材２２と、の間に足を挿入することで、スリッパ１を装着した状態で、足をスリッパ１外の空気にさらすことができる。
【００２３】
このように、本実施形態に係るスリッパ１によれば、快適性を維持できる履物を提供できる。
【００２４】
また、スリッパ１によれば、外部材２１は、少なくとも中央部分が網形状に形成され、足先側に通気のための開口部２１１を有するので、外部材２１と、内部材２２と、の間に挿入された足をより確実にスリッパ１の空気にさらすことができる。
したがって、快適性を向上できる履物を提供できる。
【００２５】
なお、本考案は前記実施形態に限定されるものではなく、本考案の目的を達成できる範囲での変形、改良等は本考案に含まれるものである。
【符号の説明】
【００２６】
１  スリッパ
１０  ソール
２０  頭部
２１  外部材
２１１  前方開口部
２１１  開口部
２１２  後方開口部
２２  内部材
２２１  内部材開口部
【図１】
0003196265.tif 000003
【図２】
0003196265.tif 000004
【図３】
0003196265.tif 000005